(57)【要約】【課題】  Ｗｅｂサーバ〜Ｗｅｂブラウザ間でＨＴＴＰ要求及び応答を検知する中継サーバを経由するだけで、Ｗｅｂブラウザからページ上に注釈情報を付加する。【解決手段】  Ｗｅｂブラウザからのページ要求をＷｅｂサーバに転送するサーバ転送手段と、Ｗｅｂブラウザからのページ要求を解析するページ要求解析手段と、Ｗｅｂサーバからの応答ページをＷｅｂブラウザに転送するクライアント通信手段と、Ｗｅｂサーバからの応答ページに注釈情報を埋め込む応答ページ埋込手段と、注釈情報を記憶する注釈情報記憶手段と、注釈情報を制御する情報を記憶する制御情報記憶手段と、注釈情報を埋め込む際に一時的に情報を格納する一時情報記憶手段を持つ、中継サーバを備える。【選択図】  図１
2011113297.tif 000002
【特許請求の範囲】
【請求項１】
Ｗｅｂブラウザからのページ要求をＷｅｂサーバに転送するサーバ転送手段と、Ｗｅｂブラウザからのページ要求を解析するページ要求解析手段と、Ｗｅｂサーバからの応答ページをＷｅｂブラウザに転送するクライアント通信手段と、Ｗｅｂサーバからの応答ページに注釈情報を埋め込む応答ページ埋込手段と、注釈情報を記憶する注釈情報記憶手段と、注釈情報を制御する情報を記憶する制御情報記憶手段と、注釈情報を埋め込む際に一時的に情報を格納する一時情報記憶手段を持つことを特徴とする中継サーバ。
【請求項２】
前記ページ要求解析手段は、ページ要求中に注釈情報を追加及び削除する要求が含まれているか否かを判別し、注釈情報を追加及び削除する要求が含まれていれば、前記注釈情報記憶手段へ注釈情報を追加及び削除する注釈情報登録削除手段を持つことを特徴とする、請求項１の中継サーバ。
【請求項３】
前記応答ページ埋込手段は、応答ページの中の各タグにＩＤを埋め込むタグＩＤ埋込手段と、前記注釈情報記憶手段から、応答ページのＵＲＬ等の情報を元に、注釈情報を検索する注釈情報検索手段と、応答ページに注釈情報やＷｅｂブラウザからページ上に注釈情報を追加できるプログラムを埋め込む注釈情報プログラム埋込手段を持つことを特徴とする、請求項２の中継サーバ。
【請求項４】
前記応答ページ埋込手段では、元々のページに重ねて注釈情報を追加する注釈情報追加プログラムと、元々のページに重ねて注釈情報を表示する注釈情報表示プログラムと、追加された注釈情報の位置を微調整する注釈情報位置調整プログラムを埋め込むことを特徴とする、請求項３の中継サーバ。
【請求項５】
前記応答ページ埋込手段では、注釈情報を追加する際に関連項目を選択するためのモードに切替える注釈情報追加プログラムと、注釈情報と関連項目を関連付ける注釈情報関連項目付けプログラムと、注釈情報を表示する際に、関連項目との相対位置に表示する注釈情報表示プログラムと、注釈情報と関連項目の関係を明示する注釈情報項目関連明示プログラムを埋め込むことを特徴とする、請求項４の中継サーバ。
【発明の詳細な説明】
【技術分野】
【０００１】
ＷｅｂサーバとＷｅｂブラウザの間でＨＴＴＰ要求及び応答を検知する中継サーバにおいて、ＷｅｂサーバからＷｅｂブラウザへ送付される応答ページ上に、応答ページのラベルやフィールドに対する注釈のタグ（注釈情報）を埋め込む方法に関する。
【背景技術】
【０００２】
Ｗｅｂシステムにおいて、クライアントからページ上に注釈情報を付加し、その注釈情報を共有することは極めて有効である。
【０００３】
注釈情報とは、ページ上の新規フィールドについての“Ｎｅｗ”等の案内、ページ上のフィールドについての一時的な使用制限事項、ページのレビュー作業におけるページ上のフィールドの記載内容についての指摘事項、等のページに何らかの補足説明をする一時的な情報を指す。
【０００４】
特に、ページ上の新規フィールドについて“Ｎｅｗ”の案内をグループ内に出したり、ページ上のフィールドについての一時的な使用制限事項をグループ内に説明する場合、有効な情報となり得る。例えば、メールや電話でグループ内に連絡するよりも、そのページ上のフィールドに案内や使用制限事項が記述されていた方がより操作者の注意を向ける事ができ、かつ正確に情報を伝えることができる。その際、サーバ等の特定マシンに移動してから、注釈情報を付加することは、手間がかかる。サーバ等の特定マシンはサーバ室等の少し離れた別室で管理されていることがあり、そこまで移動するのに手間がかかる。また、特定マシンへリモートアクセスできるソフトもあるが、そのインストール作業や設定作業に手間がかかる。また、一時的な使用制限事項の表示、非表示の度に、特定マシンへアクセスするのも手間がかかる。そのため、各自が普段使用しているクライアントから注釈情報を付加する必要がある。
【０００５】
さらに、ページ上の内容をレビューし、ページ上の記載内容について指摘する場合、有効な情報となり得る。例えば、遠距離にいるレビューワがページ上の指摘事項をメールや電話で担当者に連絡するよりも、そのページ上に指摘事項が記述されていた方がより正確に担当者に情報を伝えることができる。また、遠距離にいるレビューワがページ上に指摘事項を記述する際は、サーバ等の特定マシンが近くに無いことがある。そのため、注釈情報を特定マシンから入力するのではなく、その場所にあるクライアントから入力する必要がある。
【０００６】
前記のような注釈情報は、Ｗｅｂシステムを修正することで、そのシステムに付加する方法も考えられるが、その場合、設計実装の作業、及び再度リリースする作業等に、多大な労力が費やされてしまう。また、注釈情報は、一定期間の制限事項や突発的な制限事項等の情報であるため、その度にシステムを修正することになり、多大な労力が費やされてしまう。
【０００７】
そのため、Ｗｅｂシステムを修正することなく、クライアントからページ上に注釈情報を付加する必要がある。
【０００８】
従来は、ＷｅｂサーバとＷｅｂブラウザの間でＨＴＴＰ要求及び応答を検知する中継サーバにおいて、応答ページのＨＴＭＬ文書に注釈情報を埋め込むことが可能であった。
【０００９】
例えば、特開２００５−１２８６１７「情報提供装置」において、指定ウェブページと付加コンテンツとを含む変換ウェブページを生成する方法が公開されている（従来技術１）。
【００１０】
また、Ａｃｒｏｂａｔ（「Ａｃｒｏｂａｔ＼アクロバツト」は登録商標）の注釈機能も一般化されつつある（従来技術２）。
【先行技術文献】
【特許文献】
【００１１】
【特許文献１】特開２００５−１２８６１７号公報
【発明の概要】
【発明が解決しようとする課題】
【００１２】
しかしながら、
・  従来技術１では、中継サーバに相当する情報提供装置からのみページ上に注釈情報を埋め込むことができ、クライアントからはページ上に注釈情報を埋め込むことはできない。
・  従来技術１では、注釈情報を埋め込むと、元々のページのレイアウトが変更されるため、今までそのページを使用していた人達に混乱を招くことになる。
・  従来技術１では、特定のフィールドに対する注釈情報を埋め込んだが、各クライアントの設定の違い、及びページ上の文字列長が変化した場合等で、ページの出力イメージが変化した場合、注釈情報の対象となるフィールドが明確にできなくなる。
・  従来技術２では、サーバ、及びクライアントに特定のソフトをインストールする手間がかかる。
【００１３】
本発明は上記の課題に鑑みて、ＷｅｂサーバとＷｅｂブラウザの間でＨＴＴＰ要求及び応答を検知する中継サーバを経由するだけで、クライアントからページ上に注釈情報を付加すること、を目的とする。
【課題を解決するための手段】
【００１４】
Ｗｅｂブラウザからのページ要求をＷｅｂサーバに転送するサーバ転送手段と、Ｗｅｂブラウザからのページ要求を解析するページ要求解析手段と、Ｗｅｂサーバからの応答ページをＷｅｂブラウザに転送するクライアント通信手段と、Ｗｅｂサーバからの応答ページに注釈情報を埋め込む応答ページ埋込手段と、注釈情報を記憶する注釈情報記憶手段と、注釈情報を制御する情報を記憶する制御情報記憶手段と、注釈情報を埋め込む際に一時的に情報を格納する一時情報記憶手段を持つことを特徴とする中継サーバである。
【発明の効果】
【００１５】
以上のように、本発明によって、
中継サーバを経由するという設定を行うだけで、クライアントからページ上に注釈情報を付加できる。
【００１６】
また、元々のページレイアウトを変更することなく、元々のページに重ねて注釈情報を表示できる。
【００１７】
また、ページ上の注釈情報と関連する項目を関連付けることにより、ページの出力イメージが変化した場合でも注釈情報の対象となるフィールドが明確にできる。
【００１８】
また、サーバ及びクライアントに、特定のソフトをインストールする等の負荷をかけることもない。
【図面の簡単な説明】
【００１９】
【図１】システムの構成を示す図
【図２】ノード間の処理フローを示す図
【図３】注釈情報の画面イメージ
【図４】注釈情報追加削除メニューの画面イメージ
【図５】注釈情報追加時の関連項目選択モードの画面イメージ
【図６】注釈情報記憶手段を示す表
【図７】制御情報記憶手段を示す表
【図８】ページ要求上の注釈情報を示す表
【図９】ページ要求解析手段  フローチャートを示す図
【図１０】注釈情報登録削除手段  フローチャートを示す図
【図１１】応答ページ埋込手段  フローチャートを示す図
【図１２】タグＩＤ埋込手段  フローチャートを示す図
【図１３】注釈情報検索手段  フローチャートを示す図
【図１４】注釈情報プログラム埋込手段  フローチャートを示す図
【図１５】注釈情報のＨＴＭＬソース例
【図１６】注釈情報表示プラグラム  フローチャートを示す図
【図１７】注釈情報追加削除メニューのＨＴＭＬソース例
【図１８】注釈情報追加削除メニュー表示プラグラム  フローチャートを示す図
【図１９】注釈情報追加プラグラム  フローチャートを示す図
【図２０】注釈情報削除プラグラム  フローチャートを示す図
【図２１】注釈情報保存プラグラム  フローチャートを示す図
【図２２】注釈情報関連項目付けプログラム  フローチャートを示す図
【図２３】注釈情報項目関連明示プログラム  フローチャートを示す図
【図２４】注釈情報位置調整プログラム  フローチャートを示す図
【図２５】第２の実施形態での注釈情報の画面イメージ
【図２６】第２の実施形態での注釈情報関連明示線のＨＴＭＬソース例
【図２７】第２の実施形態での注釈情報表示プログラム  フローチャートを示す図
【発明を実施するための形態】
【００２０】
以下で本発明の実施の形態を、図面を参照して説明する。
【００２１】
（第１の実施形態）
図１は本発明の構成を示した図である。クライアント端末１００はＷｅｂブラウザ１０１が動作する。サーバ３００ではＷｅｂサーバ３０１が動作する。Ｗｅｂブラウザ１０１は中継サーバ２００を経由して、Ｗｅｂサーバ３０１に接続し、データの送受信をおこなう。
【００２２】
中継サーバ２００は、Ｗｅｂブラウザ１０１との通信を行うクライアント通信手段２０１とＷｅｂサーバ３０１との通信を行うサーバ通信手段２０３を備え、Ｗｅｂブラウザ１０１からＷｅｂサーバ３０１への通信を中継しページ要求を解析し、注釈情報の登録削除をおこなうページ要求解析手段２０２と、Ｗｅｂサーバ３０１からＷｅｂブラウザ１０１への通信を中継し応答ページに注釈情報や注釈情報関連のプログラムを埋め込む応答ページ埋込手段２０７からなる。
【００２３】
これら、ページ要求解析手段２０２および、応答ページ埋込手段２０７はＣＧＩプログラムや、Ｊａｖａ（登録商標）のサーブレットなどの一般的なＷｅｂアプリケーション技術によって実現することが可能であり、また、クライアント通信手段２０１、および、サーバ通信手段２０３はＷｅｂアプリケーションのプラットフォームとなるＷｅｂアプリケーションサーバによって提供される機能を利用することができる。例えば、ＷｅｂアプリケーションサーバＴｏｍｃａｔで動作するＪａｖａ（登録商標）サーブレットプログラムとしてこれらの機能を実現することが可能である。（「ＴＯＭＣＡＴ」は登録商標）
図２はクライアント端末１００、中継サーバ２００、サーバ３００、および、ユーザアクション４００間の一連の処理シーケンスを示したものである。
【００２４】
ユーザがＷｅｂブラウザ１０１に対してページ指定する（ステップＳ２０１）ことにより、中継サーバ２００にページ要求が送信される（ステップＳ２０２）。中継サーバ２００はこのページ要求を読込み、ページ要求上の注釈情報を注釈情報記憶手段２０４に登録削除し、その後サーバ３００に転送する（ステップＳ２０３）。
【００２５】
サーバ３００は、中継サーバ２００へ、要求内容に応じてページを動的に生成、あるいはあらかじめ保持している静的なページを送信する（ステップＳ２０４）。
【００２６】
中継サーバ２００が、サーバ３００からの応答のページを受けると、ページを読込み、そのページ上に注釈情報を埋め込んだ応答ページを生成し、クライアント端末にページ要求（ステップＳ２０２）に対する応答として送信する（ステップＳ２０５）。
【００２７】
Ｗｅｂブラウザ１０１は応答ページを表示する（ステップＳ２０６）。
【００２８】
ユーザは表示されたページに対して、特定キーを押下する（ステップＳ２０７）と、Ｗｅｂブラウザ１０１はページ上に後記の図４で示すような注釈情報追加削除メニューを表示する（ステップＳ２０８）。ユーザが注釈情報追加削除メニュー上で、画像ファイルを選択し、追加ボタンをクリックする等して注釈を追加する（ステップＳ２０９）と、Ｗｅｂブラウザ１０１はページ上に注釈情報を表示し、ページを後記の図５で示すような関連項目選択モードに切替える（ステップＳ２１０）。ユーザがページ上で関連項目を選択する（ステップＳ２１１）と、Ｗｅｂブラウザ１０１はページ上に追加（ステップＳ２０９）された注釈と選択された（ステップＳ２１１）関連項目を関連付けて表示する（ステップＳ２１２）。
【００２９】
ユーザは表示されたページに対して、特定キーを押下する（ステップＳ２１３）と、Ｗｅｂブラウザ１０１はページ上に注釈情報追加削除メニューを表示する（ステップＳ２１４）。ユーザが注釈情報追加削除メニュー上で、注釈ボタンをクリックする等して注釈を保存する（ステップＳ２１５）と、Ｗｅｂブラウザ１０１は中継サーバ２００にページ要求を送信する（ステップＳ２１６）。中継サーバ２００はこのページ要求を読込み、ページ要求上の注釈情報を注釈情報記憶手段２０４に登録及び削除し、その後サーバ３００に転送する（ステップＳ２１７）。
【００３０】
サーバ３００は、クライアント１００へ、要求内容に応じてページを動的に生成、あるいはあらかじめ保持している静的なページを送信する（ステップＳ２１８）。
【００３１】
中継サーバ２００が、サーバ３００からの応答のページを受けると、ページを読込み、そのページ上に注釈情報を埋め込んだ応答ページを生成し、クライアント端末にページ要求（ステップＳ２１６）に対する応答として送信する（ステップＳ２１９）。
【００３２】
図３は本発明による一実施の形態におけるページ上の注釈情報の一例である。
【００３３】
帳票画面１０００は表示ラベル１００１や入力フィールド１００２を備え、その画面上に注釈情報１００３、１００４、１００５を表示できる。表示ラベル１００１はＤＩＶタグやＳＰＡＮタグ等で囲まれた表示エリアある。また、入力フィールド１００２はＩＮＰＵＴタグ等で囲まれた入力エリアある。注釈情報１００３、１００４、１００５はＤＩＶタグで囲まれた情報であり、後記図１５に注釈情報のＨＴＭＬソース例を示す。
【００３４】
図４は本発明による一実施の形態におけるページ上の注釈情報追加削除メニューの一例である。
【００３５】
注釈情報追加削除メニュー１１００は、画像ファイルから注釈情報を追加する入力フィールド１１０１、ファイルを参照する参照ボタン１１０２、注釈情報をページ上に表示する追加ボタン１１０３、ページ上から注釈情報を削除する削除ボタン１１０４、最終的に注釈情報をページ上に保存する保存ボタン１１０５等を備える。また、後記図１７に注釈情報追加削除メニューのＨＴＭＬソース例を示す。また、後記図１９に追加ボタン１１０３クリック時のフローチャートを示す。また、後記図２０に削除ボタン１１０４クリック時のフローチャートを示す。また、後記図２１に保存ボタン１１０５クリック時のフローチャートを示す。
【００３６】
図５は本発明による一実施の形態における、ページ上に注釈情報を追加した後に関連項目を選択する関連項目選択モードの一例である。
【００３７】
関連項目選択モードは、ページ上に追加された注釈情報１２００を表示し、その後、関連項目になり得る特定のエレメントを残し、それ以外のエレメントはグレー表示する。このことにより、関連項目を選択しやすくする。
【００３８】
関連項目になり得る特定のエレメントの中から、マウスクリックにより選択したエレメント１２０１が注釈情報の関連項目となる。関連項目が設定された後は、関連項目選択モードは解除される。また、後記図１９にページを関連項目選択モードに変更する追加ボタン１１０３クリック時のフローチャートを示す。また、後記図２２に関連項目選択モードにて関連項目を選択した時のフローチャートを示す。
【００３９】
図６は中継サーバ２００が管理する注釈情報記憶手段２０４の内容の一例を示す図である。
【００４０】
注釈情報テーブルは注釈ＩＤカラム２００１、ＵＲＬカラム２００２、関連項目ＩＤカラム２００３、ファイル名カラム２００４、位置Ｌｅｆｔカラム２００５、位置Ｔｏｐカラム２００６によって構成される。
【００４１】
注釈ＩＤ２００１は注釈情報を一意に特定するためのＩＤである。
【００４２】
ＵＲＬ２００２は注釈情報が追加されたページを特定するための文字列である。
【００４３】
関連項目ＩＤ２００３は注釈情報と関連付けられた項目を特定するためのＩＤであり、ＩＤは後記図１２で示すタグＩＤ埋込手段により設定される。
【００４４】
ファイル名２００４は注釈情報のファイルのフルパスである。
【００４５】
位置Ｌｅｆｔ２００５はページ上の関連項目と注釈情報の相対Ｌｅｆｔ位置であり、位置Ｔｏｐ２００６はページ上の関連項目と注釈情報の相対Ｔｏｐ位置である。
【００４６】
図７は中継サーバ２００が管理する制御情報記憶手段２０５の内容の一例を示す図である。
【００４７】
制御情報テーブルはＩＤを付与するタグカラム２１０１、新規追加用の注釈情報の枠数カラム２１０２等によって構成される。
【００４８】
ＩＤを付与するタグ２１０１は注釈情報に関連付ける項目を特定のタグの項目に絞るための文字列である。
【００４９】
新規追加用の注釈情報の枠数２１０２は１ページ上に一度に注釈情報を追加できるＭＡＸの数値である。
【００５０】
また、雛型情報テーブルは注釈情報雛型カラム２１０３、注釈情報追加削除メニュー雛型カラム２１０４等によって構成される。
【００５１】
注釈情報雛型カラム２１０３は後記図１５に示す注釈情報のＨＴＭＬソースの属性値が無い初期のソースを保持する。
【００５２】
注釈情報追加削除メニュー雛型カラム２１０４は後記図１７に示す注釈情報追加削除メニューのＨＴＭＬソースの属性値が無い初期のソースを保持する。
【００５３】
図８はページ要求上の注釈情報の内容の一例を示す図である。
リクエストデータは、注釈ＩＤ２３０１、操作種別２３０２、ＵＲＬ２３０３、関連項目ＩＤ２３０４、ファイル名２３０５、位置Ｌｅｆｔ２３０６、位置Ｔｏｐ２３０７等によって構成される。
【００５４】
注釈ＩＤ２３０１はページ上の注釈情報を一意に特定するためのＩＤである。
【００５５】
操作種別ＩＤ２３０２はページ上の注釈情報を注釈情報記憶手段に追加するのか削除するのかのフラグである。
【００５６】
ＵＲＬ２３０３は注釈情報が追加されたページを特定するための文字列である。
【００５７】
関連項目ＩＤ２３０４は注釈情報と関連付けられた項目を特定するためのＩＤである。
【００５８】
ファイル名２３０５は注釈情報のファイルのフルパスである。
【００５９】
位置Ｌｅｆｔ２００５はページ上の関連項目と注釈情報の相対Ｌｅｆｔ位置であり、位置Ｔｏｐ２００６はページ上の関連項目と注釈情報の相対Ｔｏｐ位置である。
【００６０】
図９は、Ｗｅｂブラウザ１０１からのページ要求を中継する際のページ要求解析手段２０２の動作を示した図である。
【００６１】
まず、ページ要求解析手段２０２は、前述のＷｅｂブラウザ１０１からのリクエストを受信（ステップＳ３０１）し、次に、そのリクエストを読込む（ステップＳ３０２）。
【００６２】
その後、読込んだリクエストの中に注釈情報のデータが含まれているかを注釈ＩＤ２３０１が存在するか否かで判定する（ステップＳ３０３）。注釈情報のデータが含まれていれば、図１０で示す注釈情報登録削除手段を呼出（ステップＳ３０４）す。注釈情報のデータが含まれていなければ注釈情報登録削除手段は呼出さない。
【００６３】
最後にサーバへリクエストを転送する（ステップＳ３０５）。
【００６４】
図１０は、前記図９で示したページ要求解析手段２０２から呼出される注釈情報登録削除手段２０２１の動作を示した図である。
【００６５】
注釈情報登録削除手段２０２１は、まず、ステップＳ３０２で読込んだページ要求の注釈情報のデータにてループする（ステップＳ４０１）。次に、注釈情報のデータ中の操作種別２３０２の値により注釈情報を追加するか削除するかを判定する（ステップＳ４０２）。操作種別２３０２の値が追加を示す“ｉｎｓｅｒｔ”であれば、注釈情報記憶手段２０４に注釈情報を登録する（ステップＳ４０３）。操作種別２３０２の値が削除を示す“ｄｅｌｅｔｅ”であれば、注釈情報記憶手段２０４から注釈情報を削除する（ステップＳ４０４）。
【００６６】
図１１は、Ｗｅｂサーバ３０１からのページ応答を中継する際の応答ページ埋込手段２０７の動作を示した図である。
【００６７】
応答ページ埋込手段２０７は、まず、前述のＷｅｂサーバ３０１からの応答ページを受信（ステップＳ５０１）し、次に、その応答ページをテキスト形式で読込む（ステップＳ５０２）。その後、図１２で示すタグＩＤ埋込手段２０７１を呼出す（ステップＳ５０３）。次に、図１３で示す注釈情報検索手段２０７２を呼出す（ステップＳ５０４）。その後、図１４で示す注釈情報プログラム埋込手段２０７３を呼出（ステップＳ５０５）し、最後にクライアントへ応答ページを転送する（ステップＳ５０６）。
【００６８】
図１２は、前記図１１で示した応答ページ埋込手段２０７から呼出されるタグＩＤ埋込手段２０７１の動作を示した図である。
【００６９】
タグＩＤ埋込手段２０７１は、制御情報記憶手段２０５からＩＤを付与するタグ２１０１を取得する（ステップＳ６０１）。その後、前記図１０で示した応答ページ埋込手段２０７にて読込んだ応答ページ中のタグでループする（ステップＳ６０２）。タグが前記ステップＳ６０１で取得したＩＤを付与するタグの種類か判別する（ステップＳ６０３）。
【００７０】
ＩＤを付与する対象外のタグの場合は何もしない。ＩＤを付与する対象のタグであれば、そのタグに既にＩＤが付与されているか判別する（ステップＳ６０４）。既にタグにＩＤが付与されていれば何もしない。まだＩＤが付与されていなければ、タグ数情報をカウントアップ（ステップＳ６０５）し、タグにタグ数情報をＩＤとして埋め込む（ステップＳ６０６）。ループ終了後、タグにＩＤを埋め込んだ応答ページを、一時情報記憶手段２０６へ保存する（ステップＳ６０７）。
【００７１】
図１３は、前記図１１で示した応答ページ埋込手段２０７から呼出される注釈情報検索手段２０７２の動作を示した図である。
【００７２】
注釈情報検索手段２０７２は、一時情報記憶手段２０６から前記図１２で示したタグＩＤ埋込手段２０７１にて保存したタグにＩＤを埋め込んだ応答ページを読込む（ステップＳ７０１）。
【００７３】
次に、ＵＲＬ等のページ情報を検索条件にし注釈情報記憶手段２０４から注釈情報を抽出する（ステップＳ７０２）。
その後、該当する注釈情報があるか判別する（ステップＳ７０３）。
【００７４】
該当する注釈情報がなければ終了する。
【００７５】
該当する注釈情報があれば、その注釈情報を一時情報記憶手段に保存する（ステップＳ７０４）。
【００７６】
図１４は、前記図１１で示した応答ページ埋込手段２０７から呼出される注釈情報プログラム埋込手段２０７３の動作を示した図である。
【００７７】
注釈情報プログラム埋込手段２０７３は、一時情報記憶手段２０６から前記図１２で示したタグＩＤ埋込手段２０７１にて保存したタグにＩＤを埋め込んだ応答ページを読込む（ステップＳ８０１）。
【００７８】
次に、一時情報記憶手段２０６から前記図１３で示した注釈情報検索手段２０７２にて保存した該当する注釈情報を読込む（ステップＳ８０２）。
【００７９】
その後、制御情報記憶手段２０５から新規追加用の注釈情報の枠数２１０２、と注釈情報の雛型２１０３、と注釈情報追加削除メニューの雛型２１０４を取得する（ステップＳ８０３）。
【００８０】
次に、ステップＳ８０２にて取得した情報から該当する注釈情報があるか判別する（ステップＳ８０４）。
【００８１】
該当する注釈情報があれば、該当する注釈情報でループする（ステップＳ８０５）。該当する注釈情報がなければ該当する注釈情報でループしない。
【００８２】
その後、該当する注釈情報（後記図１５）を、タグにＩＤを埋め込んだ応答ページに埋め込む（ステップＳ８０６）。
【００８３】
次に、前記ステップＳ８０３で取得した新規追加用の注釈情報の枠数でループする（ステップＳ８０７）。
【００８４】
その後、注釈情報の枠組み情報（後記図１５）を、タグにＩＤを埋め込んだ応答ページに埋め込む（ステップＳ８０８）。
【００８５】
次に、後記図１６で示す注釈情報表示プログラムを埋め込む（ステップＳ８０９）。
【００８６】
その後、後記図１７で示す注釈情報追加削除メニューを埋め込む（ステップＳ８１０）。
【００８７】
次に、後記図１８で示す注釈情報追加削除メニュー表示プログラムを埋め込む（ステップＳ８１１）。
【００８８】
その後、後記図１９で示す注釈情報追加プログラムを埋め込む（ステップＳ８１２）。
【００８９】
次に、後記図２０で示す注釈情報削除プログラムを埋め込む（ステップＳ８１３）。
【００９０】
その後、後記図２１で示す注釈情報保存プログラムを埋め込む（ステップＳ８１４）。
【００９１】
次に、後記図２２で示す注釈情報項目関連付けプログラムを埋め込む（ステップＳ８１５）。
【００９２】
その後、後記図２３で示す注釈情報項目関連明示プログラムを埋め込む（ステップＳ８１６）。
【００９３】
次に、後記図２４で示す注釈情報位置調整プログラムを埋め込む（ステップＳ８１７）。
【００９４】
最後に、各プログラムを埋め込んだ応答ページを一時情報記憶手段２０６に保存する（ステップＳ８１８）。
【００９５】
図１５はＷｅｂサーバ３０１から送られた応答ページに埋め込まれた注釈情報のＨＴＭＬソースの例を示したものである。Ｗｅｂブラウザ上で、応答ページが表示される際に、埋め込まれた注釈情報が表示される。５行目〜１８行目が、既存の注釈情報が一つ埋め込まれている例である。６行目の“ｉｄ”には注釈情報のＩＤが設定される。７行目の“ａｃｔｉｏｎ”には注釈情報を追加、もしくは削除するかの値が設定される。８行目の“ｒｅｒａｔｉｏｎｉｄ”は関連項目のＩＤが設定される。９行目の“ｓｒｃ”には注釈情報の画像ファイルのパスが設定される。１０行目の“ｒｅｌａｔｉｖｅｌｅｆｔ”は関連項目との相対Ｌｅｆｔ位置が設定される。１１行目の“ｒｅｌａｔｉｖｅｔｏｐ”は関連項目との相対Ｔｏｐ位置が設定される。１２行目の“ｓｔｙｌｅ”は元の画面レイアウトに対して影響を与えないように、元の画面に重ねる形で注釈情報を表示するための設定がされる。１３行目〜１７行目は注釈情報をマウス操作で移動するため、注釈情報と関連項目との関連を明示するため等のイベントを呼出す設定がされる。
【００９６】
また２２行目〜３５行目が、新規に注釈情報が追加された際に設定する注釈情報の枠が一つ埋め込まれている例である。２４行目〜２８行目までは注釈情報が追加される際に設定されるため、空が設定される。２９行目の“ｓｔｙｌｅ”は元の画面レイアウトに対して影響を与えないように、元の画面に重ねる形で注釈情報を表示するための設定がされる。ただし、最初は非表示に設定され、注釈情報が追加された際に表示される。
【００９７】
３０行目〜３４行目は注釈情報をマウス操作で移動するため、注釈情報と関連項目との関連を明示するため等のイベントを呼出す設定がされる。
【００９８】
図１６は、前記図１４で示した注釈情報プログラム埋込手段２０７３にて埋め込まれる注釈情報表示プログラムの動作を示した図である。
【００９９】
注釈情報表示プログラムは、前記図１５で示した注釈情報のＨＴＭＬソースとＪａｖａ（登録商標）ｓｃｒｉｐｔとスタイルシートによって実現することが可能である。また、注釈情報表示プログラムは、Ｗｅｂブラウザ１０１にて応答ページを表示する際に呼出される。（「ＪＡＶＡ（登録商標）ＳＣＲＩＰＴ」は登録商標）
まず、応答ページ上に該当する注釈情報があるか注釈情報のＩＤが存在するか否かで判定する（ステップＳ９０１）。注釈情報がある場合は、応答ページ上の注釈情報でループする（ステップＳ９０２）。注釈情報がない場合は、処理を終了する。
【０１００】
次に、注釈情報の関連項目ＩＤを取得する（ステップＳ９０３）。
【０１０１】
その後、注釈情報の関連項目との相対位置を取得する（ステップＳ９０４）。
【０１０２】
次に、関連項目ＩＤから関連項目をｇｅｔＥｌｅｍｅｎｔＢｙＩｄメソッドにて取得し、その表示位置をｃｌｉｅｎｔＬｅｆｔやｃｌｉｅｎｔＴｏｐ、またｏｆｆｓｅｔＬｅｆｔやｏｆｆｓｅｔＴｏｐ等を使用して取得する（ステップＳ９０５）。
【０１０３】
その後、ステップＳ９０４とステップＳ９０５の値を加算し、その値を注釈情報の表示位置としてｓｔｙｌｅ．ｌｅｆｔやｓｔｙｌｅ．ｔｏｐを使用して設定する（ステップＳ９０６）。これらの処理が終了すると、ページ上に前記図３に示した注釈情報が表示される。
【０１０４】
図１７はＷｅｂサーバ３０１から送られた応答ページに埋め込まれた注釈情報追加削除メニューのＨＴＭＬソースの例を示したものである。Ｗｅｂブラウザ上で、応答ページが表示され、そのページ上でマウスクリックすると埋め込まれた注釈情報追加削除メニューがマウス位置に表示される。５行目〜４１行目が、注釈情報追加削除メニューが埋め込まれている例である。６行目の“ｓｔｙｌｅ”は元の画面レイアウトに対して影響を与えないように、元の画面に重ねる形で注釈情報追加削除メニューを表示するための設定がされる。
【０１０５】
１０行目〜１４行目は注釈情報を追加するためのメニューの例である。１２行目は注釈情報の画像ファイルを指定するための入力エリアであり、始めは空が設定される。１３行目は追加ボタンであり、このボタンがクリックされると１２行目の入力エリアで指定された画像ファイルを注釈情報として追加するためのプログラム（後記図１９）が呼出される。
【０１０６】
１７行目〜２１行目は注釈情報を削除するためのメニューの例である。２０行目は削除ボタンであり、このボタンがクリックされると注釈情報追加削除メニュー表示の際にマウス位置にあった注釈情報を削除するためのプログラム（後記図２０）が呼出される。
【０１０７】
２４行目〜３８行目は注釈情報を中継サーバ２００上の注釈情報記憶手段２０４に保存するためのメニューの例である。２９行目は保存ボタンであり、このボタンがクリックされると、ページ上の注釈情報を中継サーバ２００上の注釈情報記憶手段２０４に保存するためのプログラム（後記図２１）が呼出される。
【０１０８】
図１８は、前記図１４で示した注釈情報プログラム埋込手段２０７３にて埋め込まれた注釈情報追加削除メニュー表示プログラムの動作を示した図である。
【０１０９】
注釈情報追加削除メニュー表示プログラムは、前記図１７で示した注釈情報追加削除メニューのＨＴＭＬソースとＪａｖａ（登録商標）ｓｃｒｉｐｔとスタイルシートによって実現することが可能である。また、注釈情報追加削除メニュー表示プログラムは、Ｗｅｂブラウザ１０１にて応答ページが表示された後に、そのページ上でマウスクリックした際に呼出される。まず、注釈情報追加削除メニュー表示フラグが立っているか否かを判別する（ステップＳ１００１）。注釈情報追加削除メニュー表示フラグが立っていれば、何も処理せず終了する。注釈情報追加削除メニュー表示フラグが立っていなければ、マウスのクリック位置をｗｉｎｄｏｗ．ｅｖｅｎｔ．ｃｌｉｅｎｔＸ、ｗｉｎｄｏｗ．ｅｖｅｎｔ．ｃｌｉｅｎｔＹ、ｄｏｃｕｍｅｎｔ．ｂｏｄｙ．ｓｃｒｏｌｌＬｅｆｔ、ｄｏｃｕｍｅｎｔ．ｂｏｄｙ．ｓｃｒｏｌｌＴｏｐ等を使用して取得する（ステップＳ１００２）。次に、注釈情報追加削除メニューの位置にステップＳ１００２で取得した値を設定する（ステップＳ１００３）。その後、非表示であった注釈情報追加削除メニューを表示する（ステップＳ１００４）。これらの処理が終了すると、ページ上に前記図４に示した注釈情報追加削除メニューが表示される。
【０１１０】
図１９は、前記図１４で示した注釈情報プログラム埋込手段２０７３にて埋め込まれた注釈情報追加プログラムの動作を示した図である。
【０１１１】
注釈情報追加プログラムは、前記図１７で示した注釈情報追加削除メニューのＨＴＭＬソースとＪａｖａ（登録商標）ｓｃｒｉｐｔとスタイルシートによって実現することが可能である。また、注釈情報追加プログラムは、Ｗｅｂブラウザ１０１にて応答ページが表示された後に、そのページ上の注釈情報追加削除メニューにて、追加ボタンをクリックした際に呼出される。
【０１１２】
まず、注釈情報追加削除メニュー上のファイルパスを取得（ステップＳ１１０１）。
【０１１３】
次に、注釈情報追加削除メニューの表示位置を取得（ステップＳ１１０２）。
【０１１４】
その後、追加用の注釈情報の枠に、ステップＳ１１０１で取得したファイルパスを設定（ステップＳ１１０３）。
【０１１５】
次に、追加用の注釈情報の枠に、ステップＳ１１０２で取得した表示位置を設定（ステップＳ１１０４）。
【０１１６】
その後、非表示であった追加用の注釈情報の枠を表示（ステップＳ１１０５）。
【０１１７】
次に、注釈情報の操作種別に追加を示す“ｉｎｓｅｒｔ”を設定（ステップＳ１１０６）。
【０１１８】
その後、関連項目選択モードフラグを立てる（ステップＳ１１０７）。
【０１１９】
次に、ページの背景情報をバックアップのために取得（ステップＳ１１０８）。
【０１２０】
その後、ページの背景情報を関連項目選択モード用に変更（ステップＳ１１０９）。
【０１２１】
次に、ページ上のエレメントでループする（ステップＳ１１１０）。
【０１２２】
その後、エレメントが関連項目になり得るエレメントであるかそのタグにて判別する（ステップＳ１１１１）。
【０１２３】
関連項目になり得るエレメントの場合は、何も処理しない。関連項目になり得ないエレメントの場合は、まず、エレメントの背景情報をバックアップのために取得する（ステップＳ１１１２）。次に、エレメントの背景情報に関連項目選択モード用の背景情報を設定する（ステップＳ１１１３）。これらの処理が終了すると、ページは前記図５に示した関連項目選択モードで表示される。これらの処理により、ページ上に注釈情報が追加される。
【０１２４】
図２０は、前記図１４で示した注釈情報プログラム埋込手段２０７３にて埋め込まれた注釈情報削除プログラムの動作を示した図である。
【０１２５】
注釈情報削除プログラムは、前記図１５で示した注釈情報のＨＴＭＬソースと前記図１７で示した注釈情報追加削除メニューのＨＴＭＬソースとＪａｖａ（登録商標）ｓｃｒｉｐｔとスタイルシートによって実現することが可能である。また、注釈情報削除プログラムは、Ｗｅｂブラウザ１０１にて応答ページが表示された後に、そのページ上の注釈情報追加削除メニューにて、削除ボタンをクリックした際に呼出される。
【０１２６】
まず、注釈情報追加削除メニュー上の注釈情報ＩＤを取得（ステップＳ１２０１）。
【０１２７】
次に、注釈情報ＩＤからページ上の注釈情報を特定し、その注釈情報を非表示にする（ステップＳ１２０２）。
【０１２８】
その後、その注釈情報が、保存済みの既存の注釈情報か、保存していない追加したばかりの注釈情報か判別する（ステップＳ１２０３）。
【０１２９】
保存済みの既存の注釈情報であれば、注釈情報の操作種別に削除を示す“ｄｅｌｅｔｅ”を設定する（ステップＳ１２０４）。
【０１３０】
保存していない追加したばかりの注釈情報であれば、注釈情報の属性値を空にする（ステップＳ１２０５）。
【０１３１】
これらの処理により、ページ上の注釈情報が削除される。
【０１３２】
図２１は、前記図１４で示した注釈情報プログラム埋込手段２０７３にて埋め込まれた注釈情報保存プログラムの動作を示した図である。
【０１３３】
注釈情報保存プログラムは、前記図１５で示した注釈情報のＨＴＭＬソースと前記図１７で示した注釈情報追加削除メニューのＨＴＭＬソースとＪａｖａ（登録商標）ｓｃｒｉｐｔとスタイルシートによって実現することが可能である。また、注釈情報保存プログラムは、Ｗｅｂブラウザ１０１にて応答ページが表示された後に、そのページ上の注釈情報追加削除メニューにて、保存ボタンをクリックした際に呼出される。
【０１３４】
まず、注釈情報数でループ（ステップＳ１３０１）。
【０１３５】
次に、注釈情報の操作種別に値が設定されているか否かを判別する（ステップＳ１３０２）。
【０１３６】
注釈情報の操作種別に値が設定されていなければ、何もしない。
【０１３７】
注釈情報の操作種別に値が設定されていれば、注釈情報のＩＤ、操作種別、関連項目ＩＤ、ファイルパス、表示位置等の属性値をリクエストパラメータに設定する（ステップＳ１３０３）。
【０１３８】
最後に、Ｗｅｂサーバ３０１へページ要求を送信する（ステップＳ１３０４）。
【０１３９】
これらの処理により、ページ上の注釈情報が中継サーバ２００上の注釈情報記憶手段２０４に保存される。
【０１４０】
図２２は、前記図１４で示した注釈情報プログラム埋込手段２０７３にて埋め込まれた注釈情報項目関連付けプログラムの動作を示した図である。
【０１４１】
注釈情報項目関連付けプログラムは、前記図１５で示した注釈情報のＨＴＭＬソースとＪａｖａ（登録商標）ｓｃｒｉｐｔとスタイルシートによって実現することが可能である。また、注釈情報項目関連付けプログラムは、Ｗｅｂブラウザ１０１にて応答ページが表示された後に、そのページ上の注釈情報追加削除メニューにて、注釈情報を追加した後の関連項目選択モードにて、関連項目をクリックした際に呼出される。
【０１４２】
まず、選択された関連項目を取得する（ステップＳ１４０１）。
【０１４３】
次に、関連項目選択モードに変化しているページの背景情報を元に戻したり、関連項目になり得ないエレメントの背景情報を元に戻す（ステップＳ１４０２）。
【０１４４】
その後、選択された関連項目の背景色をバックアップのために取得する（ステップＳ１４０３）。
【０１４５】
次に、関連項目の背景色を変更する（ステップＳ１４０４）。
【０１４６】
その後、注釈情報の関連項目ＩＤ属性に、選択された関連項目のＩＤを設定する（ステップＳ１４０５）。
【０１４７】
これらの処理により、注釈情報と関連項目が関連付けられる。
【０１４８】
図２３は、前記図１４で示した注釈情報プログラム埋込手段２０７３にて埋め込まれた注釈情報項目関連明示プログラムの動作を示した図である。
【０１４９】
注釈情報項目関連明示プログラムは、前記図１５で示した注釈情報のＨＴＭＬソースとＪａｖａ（登録商標）ｓｃｒｉｐｔとスタイルシートによって実現することが可能である。また、注釈情報項目関連明示プログラムは、Ｗｅｂブラウザ１０１にて応答ページが表示された後に、そのページ上の注釈情報、もしくは関連項目上にマウスが位置付いた際に呼出される。また、ページ上の注釈情報、もしくは関連項目上からマウスが離れた際に呼出される。
【０１５０】
まず、注釈情報上にマウスが位置付いた場合、関連項目の背景色をバックアップのために取得する（ステップＳ１５０１）。
【０１５１】
次に、関連項目の背景色を変更（ステップＳ１５０２）し、注釈情報と関連項目との関連を明示する。
【０１５２】
その後、注釈情報上からマウスが離れた場合、関連項目の背景色を元に戻す（ステップＳ１６０１）。
【０１５３】
一方、関連項目上にマウスが位置付いた場合、注釈情報の枠線をバックアップのために取得する（ステップＳ１７０１）。
【０１５４】
次に、注釈情報の枠線を変更（ステップＳ１７０２）し、注釈情報と関連項目との関連を明示する。
【０１５５】
その後、関連項目上からマウスが離れた場合、注釈情報の枠線を元に戻す（ステップＳ１８０１）。
【０１５６】
これらの処理により、背景色や枠線で注釈情報と関連項目との関連を明示することができる。
【０１５７】
図２４は、前記図１４で示した注釈情報プログラム埋込手段２０７３にて埋め込まれた注釈情報位置調整プログラムの動作を示した図である。
【０１５８】
注釈情報位置調整プログラムは、前記図１５で示した注釈情報のＨＴＭＬソースとＪａｖａ（登録商標）ｓｃｒｉｐｔとスタイルシートによって実現することが可能である。また、注釈情報位置調整プログラムは、Ｗｅｂブラウザ１０１にて応答ページが表示された後に、そのページ上の注釈情報をマウスにてドラッグ＆ドロップした際に呼出される。
【０１５９】
まず、注釈情報上でマウスをマウスダウンした場合、注釈情報調整フラグを立てる（ステップＳ１９０１）。
【０１６０】
次に、注釈情報を取得する（ステップＳ１９０２）。
【０１６１】
その後、注釈情報上でマウスを移動した場合、注釈情報調整フラグが立っているか判別する（ステップＳ２１０１）。注釈情報調整フラグが立っていない場合は、何もしない。注釈情報調整フラグが立っている場合は、マウスの位置を取得する（ステップＳ２１０２）。次に、ステップＳ１９０２で取得した注釈情報の表示位置にステップＳ２１０２で取得した位置を設定する（ステップＳ２１０３）。
【０１６２】
その後、注釈情報上でマウスをマウスアップした場合、注釈情報調整フラグを降ろす（ステップＳ２００１）。
【０１６３】
これらの処理により、マウス操作で注釈情報の位置を調整することができる。
【０１６４】
（第２の実施形態）
次に、この発明の第２の実施形態として、注釈情報と関連項目の関連付けを明示するために注釈情報と関連項目の間に線を表示する場合を説明する。
【０１６５】
図２５は第２の実施形態での注釈情報の画面イメージの例を示した図である。前記図３との違いについて説明する。注釈情報１００３、１００４、１００５と関連項目１００６、１００７との間に、関連を明示する注釈情報関連明示線１００８、１００９、１０１０が表示される。また、注釈情報関連明示線１００８、１００９、１０１０はタグで囲まれた情報であり、後記図２６に注釈情報関連明示線のＨＴＭＬソース例を示す。
【０１６６】
これにより、注釈情報と関連項目との関連が、第１の実施形態のような背景色で表すよりも、明確にできる。
【０１６７】
図２６は第２の実施形態での注釈情報関連明示線のＨＴＭＬソース例を示した図である。
【０１６８】
Ｗｅｂブラウザ上で、応答ページ上の注釈情報が表示される際に、埋め込まれた注釈情報関連明示線が表示される。３行目〜１３行目が、注釈情報関連明示線の縦線と横線が一つずつ埋め込まれている例である。
【０１６９】
４行目の“ｉｄ”には注釈情報関連明示線の縦線のＩＤが設定される。５〜６行目の“ｓｔｙｌｅ”には注釈情報関連明示線の縦線の色や幅や高さが設定される。
【０１７０】
１０行目の“ｉｄ”には注釈情報関連明示線の横線のＩＤが設定される。１１〜１２行目の“ｓｔｙｌｅ”には注釈情報関連明示線の横線の色や幅や高さが設定される。
【０１７１】
そして、注釈情報が表示される際に、上記注釈情報関連明示線のＬｅｆｔやＴｏｐを指定することにより、注釈情報と関連項目の関連を明示する注釈情報関連明示線となる。また、最初は非表示に設定され、注釈情報がされる際に、注釈情報関連明示線も表示される。
【０１７２】
図２７は、第２の実施形態での注釈情報表示プログラムの動作を示した図である。前記図１６との違いを説明する。
【０１７３】
ステップＳ９０１からステップＳ９０６までは、前記図１６と同じ動作である。
【０１７４】
次に、注釈情報関連明示線の横線のＬｅｆｔに、注釈情報と関連項目のＬｅｆｔ値の小さい方を設定する（ステップＳ２２０１）。
【０１７５】
その後、注釈情報関連明示線の横線のＴｏｐに、注釈情報と関連項目のＴｏｐ値の小さい方を設定する（ステップＳ２２０２）。
【０１７６】
次に、注釈情報関連明示線の横線のＷｉｄｔｈに、注釈情報と関連項目のＬｅｆｔ値を減算し、その絶対値を設定する（ステップＳ２２０３）。
【０１７７】
その後、注釈情報関連明示線の縦線のＴｏｐに、注釈情報と関連項目のＴｏｐ値の小さい方を設定する（ステップＳ２２０４）。
【０１７８】
次に、注釈情報関連明示線の縦線のＬｅｆｔに、注釈情報もしくは関連項目で、上記注釈情報関連明示線の横線と交わっていない方のＬｅｆｔ値を設定する（ステップＳ２２０５）。
【０１７９】
その後、注釈情報関連明示線の縦線のＨｅｉｇｈｔに、注釈情報と関連項目のＴｏｐ値を減算し、その絶対値を設定する（ステップＳ２２０６）。
【０１８０】
次に、注釈情報関連明示線の横線と縦線を非表示状態から、表示状態に設定する（ステップＳ２２０７）。
これらの処理が終了すると、ページ上に前記図２５に示した注釈情報関連明示線付きの注釈情報が表示される。
【符号の説明】
【０１８１】
１００  クライアント
１０１  Ｗｅｂブラウザ
２００  中継サーバ
２０１  クライアント通信手段
２０２  ページ要求解析手段
２０２１  注釈情報登録削除手段
２０３  サーバ通信手段
２０４  注釈情報記憶手段
２０５  制御情報記憶手段
２０６  一時情報記憶手段
２０７  応答ページ埋込手段
２０７１  タグＩＤ埋込手段
２０７２  注釈情報検索手段
２０７３  注釈情報プログラム埋込手段
３００  サーバ
３０１  Ｗｅｂサーバ
３０２  サーバＤＢ
４００  ユーザアクション
１０００  帳票画面
１００１  表示ラベル
１００２  入力フィールド
１００３、１００４、１００５、１２００  注釈情報
１００７、１００８、１００９  注釈情報関連明示線
１１００  注釈情報追加削除メニュー
１１０１  ファイルから注釈情報を追加する入力フィールド
１１０２  参照ボタン
１１０３  追加ボタン
１１０４  削除ボタン
１１０５  保存ボタン
１２０１  関連項目
２００１  注釈情報テーブルの注釈ＩＤカラム
２００２  注釈情報テーブルのＵＲＬカラム
２００３  注釈情報テーブルの関連項目ＩＤカラム
２００４  注釈情報テーブルのファイル名カラム
２００５  注釈情報テーブルの位置Ｌｅｆｔカラム
２００６  注釈情報テーブルの位置Ｔｏｐカラム
２１０１  制御情報テーブルのＩＤを付与するタグカラム
２１０２  制御情報テーブルの注釈情報の枠数カラム
２１０３  雛型情報テーブルの注釈情報雛型カラム
２１０４  雛型情報テーブルの注釈情報追加削除メニュー雛型カラム
２３０１  リクエストデータの注釈ＩＤ
２３０２  リクエストデータの操作種別
２３０３  リクエストデータのＵＲＬ
２３０４  リクエストデータの関連項目
２３０５  リクエストデータのファイル名
２３０６  リクエストデータの位置Ｌｅｆｔ
２３０７  リクエストデータの位置Ｔｏｐ
【図１】
2011113297.tif 000003
【図２】
2011113297.tif 000004
【図３】
2011113297.tif 000005
【図４】
2011113297.tif 000006
【図５】
2011113297.tif 000007
【図６】
2011113297.tif 000008
【図７】
2011113297.tif 000009
【図８】
2011113297.tif 000010
【図９】
2011113297.tif 000011
【図１０】
2011113297.tif 000012
【図１１】
2011113297.tif 000013
【図１２】
2011113297.tif 000014
【図１３】
2011113297.tif 000015
【図１４】
2011113297.tif 000016
【図１５】
2011113297.tif 000017
【図１６】
2011113297.tif 000018
【図１７】
2011113297.tif 000019
【図１８】
2011113297.tif 000020
【図１９】
2011113297.tif 000021
【図２０】
2011113297.tif 000022
【図２１】
2011113297.tif 000023
【図２２】
2011113297.tif 000024
【図２３】
2011113297.tif 000025
【図２４】
2011113297.tif 000026
【図２５】
2011113297.tif 000027
【図２６】
2011113297.tif 000028
【図２７】
2011113297.tif 000029